(57)【要約】【課題】複雑な制御を行うことなく所望の温度による床暖房運転が行える構造簡単で安価な温水床暖房装置を提供する。【解決手段】床に設置される床放熱器３と、床放熱器３に床暖房用温水を供給する熱源機１とで構成される。熱源機１は、床放熱器３に接続して床暖房用温水を供給する接続配管４と、接続配管４に付設されて床暖房用温水の供給をＯＮ／ＯＦＦするスイッチ接続用信号線７とを備える。床放熱器３は、床放熱器３から発生する温度が検出可能な位置に設けられてスイッチ接続用信号線７に並列に接続されたＯＮ／ＯＦＦ動作温度の異なる複数の温度スイッチ１６，１７，１８と、これらの温度スイッチを手動操作により選択的に切換える選択スイッチ１５とを備える。【選択図】図２
2013104655.tif 000002
【特許請求の範囲】
【請求項１】
室内の床に設置されて床暖房用温水が循環する床放熱器と、該床放熱器に床暖房用温水を供給する熱源機とで構成される温水床暖房装置において、
前記熱源機は、前記床放熱器に接続して床暖房用温水を供給する接続配管と、該接続配管に付設されて床暖房用温水の供給をＯＮ／ＯＦＦするスイッチ接続用信号線とを備え、
前記床放熱器は、該床放熱器から発生する温度が検出可能な位置に設けられて前記スイッチ接続用信号線に並列に接続されたＯＮ／ＯＦＦ動作温度の異なる複数の温度スイッチと、これらの温度スイッチを手動操作により選択的に切換える選択スイッチとを備えることを特徴とする温水床暖房装置。
【請求項２】
前記温度スイッチは、前記床放熱器に設けられた床暖房用温水が流動する温水管の往路と復路との中間位置に配設されていることを特徴とする請求項１記載の温水床暖房装置。
【発明の詳細な説明】
【技術分野】
【０００１】
本発明は、室外の熱源機から室内の床放熱器に温水を供給して、室内を暖房する温水床暖房装置に関する。
【背景技術】
【０００２】
従来、室外に設置された熱源機により加熱した温水を、室内の床に設置された床暖房パネル等の床放熱器に供給して室内を暖房する温水床暖房装置が知られている。この種の温水床暖房装置は、床暖房運転を室内から行えるように、熱源機を遠隔操作するリモコンが設けられる（例えば、特許文献１参照）。リモコンには、床暖房温度を設定操作するための温度設定手段が設けられ、リモコンと熱源機とは家屋の壁を貫通させた信号ケーブルにより接続される。熱源機は、使用者がリモコンの温度設定手段により所望の温度を設定することで、設定温度に応じた運転（床暖房用温水の供給・停止）を行う。
【０００３】
使用者が温度設定手段により設定した温度に基づく制御は、床暖房の運転のために設けた温度制御装置により行われる。この温度制御装置は、温度設定手段の温度設定値と、室温を検出する室温検出センサの検出値や床暖房パネルの温水の温度を検出する水温検出センサの検出値とを比較して、この温度比較値が温度設定値になるように制御を行なうようになっている。
【先行技術文献】
【特許文献】
【０００４】
【特許文献１】特開平１０−１９２８２号公報
【発明の概要】
【発明が解決しようとする課題】
【０００５】
しかし、上記従来の温水床暖房装置では、リモコンの温度設定手段の設定値や室温検出センサ及び水温検出センサの検出値といった複数の数値を用いて、前記温度制御装置による演算処理が行われる。しかし、温度制御装置とリモコンとの間や温度制御装置と熱源機との間で上記の各値に関する複数のデータを送受信しなければならず、温度制御装置、熱源機、及びリモコンを多数の信号線で接続する必要がある。このため、施工時の作業に手間がかかり、既存の住宅等に温水床暖房装置を増設する場合に設置作業にかかるコストが高くなる不都合がある。また、前記温度制御装置は、一般に、上記演算を行うマイクロコンピュータを備えるが、温度制御のための複雑な制御プログラムが必要であるため、それにかかるコストも削減することができない不都合がある。
【０００６】
上記の点に鑑み、本発明は、複雑な制御を行うことなく所望の温度による床暖房運転が行える構造簡単で安価な温水床暖房装置を提供することを目的とする。
【課題を解決するための手段】
【０００７】
かかる目的を達成するため、本発明は、室内の床に設置されて床暖房用温水が循環する床放熱器と、該床放熱器に床暖房用温水を供給する熱源機とで構成される温水床暖房装置において、前記熱源機は、前記床放熱器に接続して床暖房用温水を供給する接続配管と、該接続配管に付設されて床暖房用温水の供給をＯＮ／ＯＦＦするスイッチ接続用信号線とを備え、前記床放熱器は、該床放熱器から発生する温度が検出可能な位置に設けられて前記スイッチ接続用信号線に並列に接続されたＯＮ／ＯＦＦ動作温度の異なる複数の温度スイッチと、これらの温度スイッチを手動操作により選択的に切換える選択スイッチとを備えることを特徴とする。
【０００８】
各温度スイッチは、ＯＮ／ＯＦＦ動作温度になると、スイッチ接続用信号線を介して前記熱源機による床暖房用温水の供給をＯＮ／ＯＦＦさせる。本発明によれば、ＯＮ／ＯＦＦ動作温度の異なる複数の温度スイッチのうち、所望の床暖房温度に対応する温度スイッチを選択スイッチによって選択するだけで、所望の床暖房温度による床暖房運転を得ることができる。
【０００９】
具体的には、例えば、床暖房運転を開始すると、前記床放熱器から発生する温度が、前記選択スイッチにより選択された温度スイッチのＯＦＦ動作温度に達するまで、熱源機からの床暖房用温水の供給が行われる。これに伴い床温度が上昇して床放熱器からの放熱により床暖房が行われる。当該温度スイッチがＯＦＦ動作すると、熱源機からの床暖房用温水の供給が停止するので、床放熱器から発生する温度が低下する。しかしその後、当該温度スイッチのＯＮ動作温度まで低下すると、熱源機からの床暖房用温水の供給が再開され、床温度が上昇する。
【００１０】
このように、選択した温度スイッチのＯＮ／ＯＦＦ動作温度に応じて、熱源機からの床暖房用温水の供給が行われ、温度スイッチのＯＦＦ動作温度からＯＮ動作温度までの範囲とその近傍において床暖房温度が得られる。従って、従来のようなマイクロコンピュータ等による温度制御装置を不要として所望の床温度による暖房運転を行うことができる。
【００１１】
しかも、各温度スイッチは、熱源機から延びるスイッチ接続用信号線に並列に接続するだけでよいので、構成が極めて簡単であるだけでなく、既存の住宅等に設置する場合であっても設置作業が容易となる。従って、本発明によれば、複雑な制御を行うことなく床放熱器から発生する温度を制御することができ、構造簡単で安価な温水床暖房装置を提供することができる。
【００１２】
また、本発明において、前記温度スイッチは、前記床放熱器に設けられた床暖房用温水が流動する温水管の往路と復路との中間位置に配設することが好ましい。前記床放熱器の温水管の往路には、比較的高い温度の床暖房用温水が通過し、温水管の復路には放熱後に熱源機に戻る比較的低い温度の床暖房用温水が通過する。温水管の往路と復路との中間位置に各温度スイッチを配設したことにより、各温度スイッチの検出温度が高温と低温との何れか一方に偏ることが防止できる。これにより、各温度スイッチによるＯＮ／ＯＦＦ動作の精度を向上させることができる。
【図面の簡単な説明】
【００１３】
【図１】本発明の一実施形態の温水床暖房装置の構成を示す説明図。
【図２】本実施形態の温水床暖房装置の要部を示す平面説明図。
【図３】操作部の概略回路図。
【図４】各温度スイッチの動作温度を示す図。
【図５】床温度と温度スイッチの作動との関係を示す線図。
【発明を実施するための形態】
【００１４】
本発明の一実施形態を図面に基づいて説明する。本実施形態の温水床暖房装置は、図１に示すように、室外に設けられた熱源機１と、室内の床２の上に載置された床暖房パネル３（床放熱器）とによって構成されている。
【００１５】
熱源機１は、温水床暖房用の温水を供給する往き管と戻り管とからなる接続配管４を備えている。熱源機１は、図示しないが、内部にガスバーナとこのガスバーナにより温水を生成する熱交換器とを備え、熱交換器には、前記接続配管４が接続されている。室内の壁面には、壁５を貫通させた接続配管４の先端に取り付けた温水コンセント６が設けられている。また、温水コンセント６には、熱源機１の接続配管４と共に延出されるスイッチ接続用信号線７の先端に取り付けた接続端子（図示せず）が設けられている。
【００１６】
スイッチ接続用信号線７は、接続及び遮断（ＯＮ／ＯＦＦ）を行うスイッチを接続するものであり、熱源機１は、スイッチ接続用信号線７に接続されるスイッチの操作に応じて運転をＯＮ／ＯＦＦするようになっている。
【００１７】
温水コンセント６には、床暖房パネル３が備える一対の接続ホース８、及び信号用ケーブル９が接続される。これにより、熱源機１の接続配管４とスイッチ接続用信号線７との夫々が、床暖房パネル３の接続ホース８と信号用ケーブル９とに接続される。
【００１８】
床暖房パネル３は、図２に一部を示すように、発泡ポリスチレン等の断熱材料で作られたマット１０と、マット１０に埋設された温水管１１と、マット１０の上部を覆うカーペット１２と、操作部１３を備えている。
【００１９】
温水管１１は、始端から終端にかけて連続する循環水路を形成しており、その始端側が、接続ホース８及び温水コンセント６を介して熱源機１の接続配管４の往き管に接続される往路１１ａとされ、その終端側が、接続配管４の戻り管に接続される復路１１ｂとされている。温水管１１を床暖房用温水が循環することにより、床暖房パネル３が放熱して室内を暖房する。
【００２０】
操作部１３は、図２に示すように、メインスイッチ１４と、暖房の強弱を選択する選択スイッチ１５とを備えている。メインスイッチ１４は、その操作により、熱源機１の運転をＯＮ／ＯＦＦする。
【００２１】
選択スイッチ１５は、図３に示すように、３接点のスイッチであり、３つの温度スイッチ（第１温度スイッチ１６、第２温度スイッチ１７、及び第３温度スイッチ１８）を切換えるものである。第１温度スイッチ１６、第２温度スイッチ１７、及び第３温度スイッチ１８は、熱源機１のスイッチ接続用信号線７に並列に接続され、選択スイッチ１５の切換え操作により、何れか１つの温度スイッチが選択される。
【００２２】
第１温度スイッチ１６、第２温度スイッチ１７、及び第３温度スイッチ１８は、夫々、ＯＮ／ＯＦＦ動作温度が異なるバイメタルによるサーモスタットが採用されている。即ち、本実施形態においては、図４に示すように、第１温度スイッチ１６は、外部から伝達された温度が４２℃であるときＯＦＦ動作して、４２℃以上となってもＯＦＦ状態を維持し、外部から伝達された温度が４０℃であるときＯＮ動作し、４０℃以下でＯＮ状態を維持する。第２温度スイッチ１７は、外部から伝達された温度が３５℃であるときＯＦＦ動作して、３５℃以上となってもＯＦＦ状態を維持し、外部から伝達された温度が３３℃であるときＯＮ動作し、３３℃以下でＯＮ状態を維持する。第３温度スイッチ１８は、外部から伝達された温度が３０℃であるときＯＦＦ動作して、３０℃以上となってもＯＦＦ状態を維持し、外部から伝達された温度が２８℃であるときＯＮ動作し、２８℃以下でＯＮ状態を維持する。そして、選択スイッチ１５で暖房温度「強」を選択すると、第１温度スイッチ１６が接続され、選択スイッチ１５で暖房温度「中」を選択すると、第２温度スイッチ１７が接続され、選択スイッチ１５で暖房温度「弱」を選択すると、第３温度スイッチ１８が接続される。
【００２３】
また、第１温度スイッチ１６、第２温度スイッチ１７、及び第３温度スイッチ１８は、図２に示すように、床暖房パネル３における温水管１１の往路１１ａと復路１１ｂとの中間位置に配設されている。温水管１１の往路１１ａには、熱源機１から供給される比較的温度の高い状態の床暖房用温水が流動し、温水管１１の復路１１ｂには、室内での放熱後により温度が低下した床暖房用温水が流動する。温水管１１の往路１１ａと復路１１ｂとの中間位置に各温度スイッチ１６，１７，１８を配設することにより、温水管１１の往路１１ａと復路１１ｂとの何れか一方のみの温度に偏った各温度スイッチ１６，１７，１８のＯＮ／ＯＦＦ動作が防止できる。更に、各温度スイッチ１６，１７，１８は温水管１１に非接触とされているので、床暖房パネル３による床温度に近い温度で各温度スイッチ１６，１７，１８を作動させることができる。
【００２４】
以上の構成による温水床暖房装置によって室内の暖房を行うとき、先ず、図２に示すメインスイッチ１４をＯＮ側に移動させ、選択スイッチ１５により暖房強度（設定温度）を選択する。これにより、熱源機１により所定温度（例えば８０℃）に加熱された床暖房用温水が床暖房パネル３に供給される。
【００２５】
ここで、選択スイッチ１５により「高」を選択して運転を行った場合について説明すれば、図３及び図４に示すように、メインスイッチ１４がＯＮとされて第１温度スイッチ１６がスイッチ接続用信号線７に接続されると、図５に示すように、熱源機１の運転ＯＮの状態となり、床暖房パネル３に床暖房用温水が供給されることにより床温度が上昇する。そして、床温度が４２℃に上昇すると、これを感知した第１温度スイッチ１６がＯＦＦ動作し、熱源機１の運転ＯＦＦの状態となる。これにより床暖房用温水の供給が停止するので、床温度が低下する。その後、床温度が４０℃に低下すると、第１温度スイッチ１６がＯＮ動作し、熱源機１の運転ＯＮの状態となって再び床温度が上昇する。メインスイッチ１４のＯＮ状態が維持されている場合、以上のように、第１温度スイッチ１６がＯＮ／ＯＦＦ動作を繰り返して床温度が４２℃〜４０℃の近傍範囲に保たれる。
【００２６】
このように、本実施形態によれば、複雑な温度調節制御を行うことなく、所望の温度の暖房が得られ、また、構造も簡単なので、温水床暖房装置を安価に設けることができる。
【００２７】
なお、本実施形態においては、３つの温度スイッチ１６，１７，１８を切換える構成を示したが、これに対して、温度スイッチを１つのみ設けておくことも考えられる。具体的には、例えば、温度スイッチとして、外部から伝達された温度が４２℃であるときＯＦＦ動作し、４０℃以下でＯＮ状態を維持するものを１つのみ設けることによって、床温度が４２℃を超えて過剰な暖房状態となることが防止できる。これによれば、選択スイッチ１５が不要となり、部品点数が削減できる。しかし、単一の温度スイッチのみであると、複数段階の暖房温度の調節が行えない。従って、本発明のように複数の温度スイッチ（本実施形態では３つの温度スイッチ１６，１７，１８）を設けてこれを切換えることで、所望の床温度に調節することができて使い勝手が良いものとなる。
【００２８】
また、本実施形態で示した３つの温度スイッチ１６，１７，１８を切換える構成以外に、温度スイッチは２つ或いは４つ以上設けて、夫々のＯＮ／ＯＦＦ動作温度毎に切換えるようにしてもよい。
【００２９】
また、本実施形態においては、メインスイッチ１４と選択スイッチ１５とを独立させて設けたが、例えば図示しないが、４極ロータリスイッチ等の多接点の選択スイッチを用いて、温度スイッチ１６，１７，１８による温度の選択に加えてＯＦＦ状態を選択できるようにしてもよい。これによれば、部品点数を削減してコストを一層低減できる。
【符号の説明】
【００３０】
１…熱源機、２…床、３…床暖房パネル（床放熱器）、４…接続配管、７…スイッチ接続用信号線、１１…温水管、１１ａ…往路、１１ｂ…復路、１５…選択スイッチ、１６，１７，１８…温度スイッチ。
【図１】
2013104655.tif 000003
【図２】
2013104655.tif 000004
【図３】
2013104655.tif 000005
【図４】
2013104655.tif 000006
【図５】
2013104655.tif 000007